(57)【要約】【課題】発光素子を備えたカーテン又は発光素子を備えたブラインドを取り付けるレール付き支持台において、見栄え良く、安定な電力供給を行う。【解決手段】電力を供給可能な前記吊り具の移動方向に延びる供給電極２１を備え、吊り具７は、供給電極２１に沿って移動した場合においても供給電極２１と電気的な接続状態を維持する接点部７Ｃと、発光素子９０と接続可能なコネクタ７５と、接点部７Ｃとコネクタ７５を結ぶ給電ラインと、を備えたレール本体２を有するレール付き支持台１０。【選択図】図３
2011220011.tif 000002
【特許請求の範囲】
【請求項１】
発光素子を備えたカーテン又は発光素子を備えたブラインドを取り付ける吊り具と、前記吊り具を移動可能に支持するレール本体と、を有するレール付き支持台であって、
前記レール本体は、電力を供給可能な前記吊り具の移動方向に延びる供給電極を備え、
前記吊り具は、前記供給電極に沿って移動した場合においても前記供給電極と電気的な接続状態を維持する接点部と、前記発光素子と接続可能なコネクタと、前記接点部と前記コネクタを結ぶ給電ラインと、を備えたことを特徴とするレール付き支持台。
【請求項２】
前記接点部は前記吊り具の移動に伴って前記供給電極に対して摺動することにより、前記供給電極との電気的な接続状態を維持することを特徴とする請求項１に記載のレール付き支持台。
【請求項３】
前記吊り具は複数であり、それぞれの前記コネクタにより、発光素子を備えたカーテン又は発光素子を備えたブラインドの懸架を行うことを特徴とする請求項１又は２に記載のレール付き支持台。
【請求項４】
前記供給電極は外部に露出していない、又は、前記供給電極の低電位側端子若しくは接地端子のみが露出していることを特徴とする請求項１から３のいずれか一項に記載のレール付き支持台。
【請求項５】
前記吊り具には、縦型のブラインドを取付可能であり、
前記コネクタはねじ込み式若しくはバヨネット式の端子であり、中心部が高電位側の端子で、周囲が低電位側端子若しくは接地端子で、ブラインドの接続部をねじ込むことにより前記コネクタに取り付可能であることを特徴とする請求項１から４のいずれか一項に記載のレール付き支持台。
【請求項６】
発光素子を備えたカーテン又は発光素子を備えたブラインドと、
請求項１から５のいずれか一項に記載のレール付き支持台と、
を有することを特徴とする照明ユニット。
【発明の詳細な説明】
【技術分野】
【０００１】
本発明は、発光素子を備えたカーテン又は発光素子を備えたブラインドを支持するレール付き支持台、及びこれらを有する照明ユニットに関する。
【背景技術】
【０００２】
一般的なカーテン及びブラインドは、建物の外部からの光が直接室内に入らないようにする、あるいはその逆に内部の光が直接外部に漏れないようにする目的で窓枠に取り付けられるものである。
【０００３】
特許文献１では、ブラインドを遮光する目的以外に表示装置としても用いるために、ＬＥＤ及び発光パターン制御部を備えたブラインド型表示装置が開示されている。
【０００４】
特許文献２では、ＥＬシートで構成した帯状のブラインド本体を連接した発光ブラインドが開示されている。
【先行技術文献】
【特許文献】
【０００５】
【特許文献１】特開２００６−１８４５６１号公報
【特許文献２】特開２０００−３０３７５８号公報
【発明の概要】
【発明が解決しようとする課題】
【０００６】
電源供給を安定して行うことや、配線を見栄え良く行うことは、発光するカーテンやブラインドをインテリアとして提供するためには重要である。
【０００７】
特許文献１、２においては給電方法について何ら記載はなく、複数の発光素子群にそれぞれ配線したような場合には見栄えが悪く、レールに吊り下げたブラインドやカーテンを開閉操作する際に支障を来す虞がある。
【０００８】
本願発明は、このような問題に鑑み、発光素子を備えたカーテン又は発光素子を備えたブラインドを取り付けるレール付き支持台において、見栄え良く、安定な電力供給を行うことを目的とする。
【課題を解決するための手段】
【０００９】
上記の目的は、下記に記載する発明により達成される。
【００１０】
１．発光素子を備えたカーテン又は発光素子を備えたブラインドを取り付ける吊り具と、前記吊り具を移動可能に支持するレール本体と、を有するレール付き支持台であって、
前記レール本体は、電力を供給可能な前記吊り具の移動方向に延びる供給電極を備え、
前記吊り具は、前記供給電極に沿って移動した場合においても前記供給電極と電気的な接続状態を維持する接点部と、前記発光素子と接続可能なコネクタと、前記接点部と前記コネクタを結ぶ給電ラインと、を備えたことを特徴とするレール付き支持台。
【００１１】
２．前記接点部は前記吊り具の移動に伴って前記供給電極に対して摺動することにより、前記供給電極との電気的な接続状態を維持することを特徴とする前記１に記載のレール付き支持台。
【００１２】
３．前記吊り具は複数であり、それぞれの前記コネクタにより、発光素子を備えたカーテン又は発光素子を備えたブラインドの懸架を行うことを特徴とする前記１又は２に記載のレール付き支持台。
【００１３】
４．前記供給電極は外部に露出していない、又は、前記供給電極の低電位側端子若しくは接地端子のみが露出していることを特徴とする前記１から３のいずれか一項に記載のレール付き支持台。
【００１４】
５．前記吊り具には、縦型のブラインドを取付可能であり、
前記コネクタはねじ込み式若しくはバヨネット式の端子であり、中心部が高電位側の端子で、周囲が低電位側端子若しくは接地端子で、ブラインドの接続部をねじ込むことにより前記コネクタに取り付可能であることを特徴とする前記１から４のいずれか一項に記載のレール付き支持台。
【００１５】
６．発光素子を備えたカーテン又は発光素子を備えたブラインドと、
前記１から５のいずれか一項に記載のレール付き支持台と、
を有することを特徴とする照明ユニット。
【発明の効果】
【００１６】
本願発明におれば、発光素子を備えたカーテン又は発光素子を備えたブラインドを取り付けるレール付き支持台において、前記供給電極に沿って移動した場合においても前記供給電極と電気的な接続状態を維持する接点部を備えた吊り具を用いることにより、見栄え良く、安定な電力供給を行うことが可能となる。
【図面の簡単な説明】
【００１７】
【図１】第１の実施形態に係る照明ユニットの構成例を示す斜視図である。
【図２】図１の拡大図である。
【図３】レール本体２及び吊り具７の断面図である。
【図４】照明ユニットの等価回路図である。
【図５】変形例を示す図である。
【図６】第２の実施形態に係る照明ユニットの構成例を示す斜視図である。
【図７】図６の拡大図である。
【図８】レール本体２及び吊り具７の断面図である。
【図９】第３の実施形態に係る照明ユニットの構成例を示す斜視図である。
【図１０】レール本体２及び吊り具７の断面図である。
【図１１】図１０の一部拡大図である。
【発明を実施するための形態】
【００１８】
本発明を実施の形態に基づいて説明するが、本発明は該実施の形態に限られない。図１は第１の実施形態に係る照明ユニットの構成例を示す斜視図である。同図には縦型ブラインド型の照明ユニットを例示している。
【００１９】
照明ユニットは、レール付き支持台１０と、これに懸架されるブラインド９から構成される。レール付き支持台は、レール本体２と複数の吊り具７から構成される。ブラインド９は複数のルーバ９１からなり、それぞれのルーバ９１にはＬＥＤが取り付けられている。コネクタ９５により吊り具７と機械的及び電気的に接続する。
【００２０】
レール本体２は不図示のネジ等により建物等に固定される。図２に示すｘは、吊り具７の移動方向であり、当該移動方向ｘに沿ってレール本体２は延びている。吊り具７の移動方向ｘへの移動に伴い懸架された各ルーバ９１を動かすことができる。また吊り具７は図示ｒ１方向に回動可能であり、ルーバ９１の向きを変更することが可能であり、取り付けた窓からの入射光量を調整することができる。
【００２１】
図２は、レール本体２の断面斜視図である。レール本体２の筐体２９の中にはウォーム２８及び、電力を供給する供給電極２１ａ、２１ｂが設けられており、これらは移動方向ｘに延びている。
【００２２】
図３（ａ）は、レール本体２及び吊り具７の断面図である。吊り具７は、電極７１ａ、７１ｂとコネクタ７５、カバー部材７９、ウォームホイール７８を備えている。レール本体のウォーム２８が外部からの操作によりｒ２方向に回転することにより、ウォームホイール７８に駆動が伝達し、コネクタ７５及び電極７１ａをｒ１方向に回動させる。ウォーム２８の中心軸にはクラッチ機構が組み込まれており、所定以上の負荷がかかると空回りする。クラッチ機構により吊り具７が、ｒ１方向の回動が所定角度以上になることを防ぐ回転止めにより回転が停止させられた場合にはウォーム２８の駆動は伝達させなかったり、外部の操作による移動方向ｘへの平行移動を許容したりする。
【００２３】
またレール本体２の筐体２９は、強度の観点から金属材料を用いることが好ましい。筐体２９の表面には、供給電極２１ａ、２１ｂと導通しないように絶縁シートａ１、ａ２を貼り付けている。なお、後述するように低電位側の供給電極２１ｂが接地電位であれば絶縁シートａ２は省略することが可能である。
【００２４】
図３（ｂ）は、ブラインド９のコネクタ９５の模式断面図である。コネクタ９５（オス側）を吊り具７のコネクタ７５（メス側）に装着することにより両コネクタにより吊り具７とブラインド９のルーバ９１とは機械的及び電気的に接続される。以下、電気的な接続に関して説明する。コネクタ９５は二つの端子９５ａと端子９５ｂを備える。端子９５ａはコネクタ９５の中心側に設けられており、その周囲を端子９５ｂにより覆われている。端子９５ａは電極７１ａを介して供給電極２１ａと電気的に接続し、端子９５ｂはコネクタ７５、電極７１ｂを介して供給電極２１ｂと電気的に接続する。
【００２５】
図４は、照明ユニットの等価回路図である。電源ＰＳはＤＣ電源であり、商用交流電源を所定の電圧に変換する。電源ＰＳにより供給される電力によりブラインド９に設けられたＬＥＤ９０を発光させることができる。電源ＰＳは照明ユニット側に備わっていてもよいし、同図にように別体の外部装置であってもよい。
【００２６】
ＬＥＤ９０としては、有機エレクトロルミネッセンス素子（以下、単にＯＬＥＤ（Organic Light Emitting Diode）という）を用いることが好ましい。ＯＬＥＤとは発光する化合物を含有する発光層を陰極と陽極で挟んだ構成を有し、発光層に電子及び正孔を注入して、再結合させることにより励起子（エキシトン）を生成させ、このエキシトンが失活する際の光の放出（蛍光・燐光）を利用して発光する素子であり、数Ｖ〜数十Ｖ程度の駆動電圧で発光が可能である。更に自己発光型であるために視野角に富み、視認性が高い。また薄膜型の完全固体素子であるために可撓性を持たせた基材に構成することにより後述のカーテン９ｃに用いるには好適である。なお同図においては図示省略しているが制御チップを内蔵させて、入力あるいは記憶している画像情報に基づいて映像をブラインド９（あるいは後述のカーテン９２）に表示させるようにしてもよい。
【００２７】
図４においては３個のＬＥＤ９０を直列で接続した例であり、電源ＰＳからの出力値は、各ＬＥＤ９０が所望の輝度で発光するような電流値に設定されている。各ＬＥＤ９０の駆動時の電圧としては数Ｖから数十Ｖであり、駆動時の電源ＰＳからの出力電圧は、各々のＬＥＤ９０の駆動時の電圧に直列した個数を乗じた値、例えば２４Ｖとなる。
【００２８】
このときに高電位側の給電ラインには、供給電極２１ａ、接点部７Ｃａ、電極７１ａ、端子９５ａが、この順で接続され、低電位側（若しくは接地）の給電ラインには、供給電極２１ｂ、接点部７Ｃｂ、電極７１ｂ、コネクタ７５、端子９５ｂが、この順で接続される。
【００２９】
ルーバ９１を、これを懸架する吊り具７とともに移動方向ｘへ平行移動させる際には、吊り具７は供給電極２１ａ、２１ｂ（以下、これらを総称する場合には単に供給電極２１という）に沿って移動することになる。この際に電極７１ａ、７１ｂ（以下、これらを総称する場合には単に電極７１という）は供給電極２１の表面を摺動しながら移動する。電極７１は導電性の弾性材料で構成される、又は不図示の弾性部材により供給電極２１側に付勢されるので移動方向ｘに移動した場合においても供給電極２１と電極７１とは、接点部７Ｃａ、７Ｃｂで電気的な接続を維持している。
【００３０】
本実施形態においては、複数の吊り具７それぞれへ個別に配線を行わずにレール本体２の内部に設けた一つの供給電極２１を介して電力の供給を行っている。このような構成とすることにより見栄え良く、安定したＬＥＤ９０への電力供給を行うことが可能となる。
【００３１】
また図３（ａ）に示すように電極７１ａ、７１ｂはレール本体２の内側に配置させているので、ユーザが直接触れられない。またコネクタ９５においても、高電位側の端子９５ａは周囲を低電位側の端子９５ｂに覆われているので高電位側の端子９５ａをユーザに直接触れられないようになっている。このような構成としているので感電事故や埃の蓄積による漏電事故を防止することができる。
【００３２】
［変形例］
図５は、変形例を示す図である。第１の実施形態とは下記の構成で異なっており、それ以外は第１の実施形態と同一である。また第１の実施形態と同じ構成部材については同符号を付すことにより説明に換える（以降も同様）。
【００３３】
変形例においては車輪７４０ａ、７４０ｂを設けている。車輪７４０ａ、７４０ｂの回転軸は移動方向ｘに直角な方向に設定されており両脇をカバー部材７９で支持されている。陽極架線２１０ａは高電位側の供給電極として機能する。また陽極架線２１０ａと金属性の筐体２９との間には絶縁部材ａ４が、供給電極２１ｂと筐体２９との間には絶縁シートａ３がそれぞれ設けられている。車輪７４０ａ、７４０ｂの軸、及び陽極架線２１０ａ、供給電極２１ｂには歯車が形成されている（前者はピニオン、後者はラックに相当）。陽極吊り具７の移動方向ｘへの移動にともなって歯車の接触面（接点部７Ｃａ、７Ｃｂ）を変えながら移動する。車輪７４０ａ、７４０ｂは導電性のバネ７４１ａ、７４１ｂによりそれぞれ陽極架線２１０ａ、供給電極２１ｂ側に付勢されているので、移動方向ｘへ移動した場合であっても陽極架線２１０ａと電極７１ａ、供給電極２１ｂと電極７１ｂとは接点部７Ｃａ、７Ｃｂにより電気的接続を維持させることができる。
【００３４】
なお、第１の実施形態及び変形例においては縦型のブラインドについて例示したが、横型のブラインドに適用してもよい。この場合一対の柱状のレールにそれぞれ複数の吊り具を設けることにより両端の吊り具からルーバを支え、何れか一方の吊り具から電力の供給を行う構成とする。
【００３５】
本実施形態によれば第１の実施形態と同様の効果を得られるとともに、供給電極２１と電極の電気的接続を歯車の列を介して行うので更に安定した電力供給を行うことが可能となる。
【００３６】
［第２の実施形態］
図６は、第２の実施形態に係る照明ユニットの構成例を示す斜視図である。図７は図６の拡大図である。同図にはカーテン型の照明ユニットを例示している。
【００３７】
同図においてもレール本体２には、供給電極２１ａ、２１ｂが設けられており、これらは移動方向ｘに沿って延びている。レール本体２には複数の吊り具７が掛止されておりそれぞれのコネクタ７５１によりカーテン９ｃに設けられたコネクタ９５１と接続する。カーテン９ｃにはＬＥＤが設けられており、コネクタ９５１を介して供給された電力により発光する。コネクタ７５１の外側にはネジ山ＳＣが刻まれており、これはコネクタ９５１の内側に刻まれているネジ山（不図示）と対応する。またコネクタ７５１の中心軸に電極７１ａが設けられており、その周囲に円環状の電極７１ｂを配置している。コネクタ９５１を回しながら差し込むことによりコネクタ７５１と接続する。なお図６においてはねじ込み式のコネクタを例示したが、バヨネット式のコネクタを適用してもよい。
【００３８】
図８は、第２の実施形態に係るレール本体２及び吊り具７の断面図である。吊り具７は、一対の車輪７６０を備えており、これらは軸７６１を中心として吊り具７の移動方向ｘへの移動に伴いｒ３方向（図７参照）に従動回転する。車輪７６０にはコネクタ７５１が懸架されており、コネクタ７５１又は、コネクタ７５１及びこれに接続するコネクタ９５１、カーテン９ｃの重さにより下方に付勢されている。これにより移動方向ｘへ移動した場合であっても従動回転する車輪７６０の下端が接点部７Ｃｂとなり供給電極２１ｂとの電気的な接続が維持されるので、吊り具７を移動させた場合であってもカーテン９ｃのＬＥＤ９０への電力の供給を行うことが可能となる。なお、図８及び図９以降においては絶縁シート（図３の符号ａ１、ａ２に相当）の記載は省略している。
【００３９】
本実施形態においては、このような構成とすることにより複数の吊り具７それぞれへ個別に配線を行わずにレール本体２の内部に設けた一つの供給電極２１を介して電力の供給を行っている。このような構成とすることにより見栄え良く、安定したＬＥＤ９０への電力供給を行うことが可能となる。
【００４０】
また同図に示すように高電位側の電極７１ａは吊り具７の中心側に配置しているのでユーザが直接さわれないようにしている。また電極７１ｂは外部に露出しているが当該電極７１ｂには低電位若しくは接地（ＧＮＤ）されているのでユーザが触れても害はない。
【００４１】
［第３の実施形態］
図９は、第３の実施形態に係る照明ユニットの構成例を示す斜視図であり、図１０は断面図である。図１１は図１０の一部断面図である。第３の実施形態においては機械的接続と電気的接続とは別々の部材により行っている。具体的にはカーテン９ｃの懸架はフック７７１により行い、ＬＥＤ９０への電力の供給はコネクタ７５２により行う。
【００４２】
レール本体２は柱状のヘッドレール２３を備え、ヘッドレール２３には複数の吊り具７ｃが懸架されている。吊り具７ｃは、吊り輪７７０、コネクタ７５２、フック７７１等から構成される。吊り輪７７０にはフック７７１が掛けられており、フック７７１の先には、アジャスタフック７７９及びカーテン９ｃが懸架されている。カーテン９ｃにはＬＥＤ９０は織り込まれており、ＬＥＤ９０への電力の供給はコネクタ７５２により行う。吊り輪７７０とコネクタ７５２との間は可撓性の電源ケーブルにより接続されている。
【００４３】
吊り輪７７０の内部には、電極７１ａ、７１ｂが配されている。ヘッドレール２３の中央下部には給電溝２５が設けられており、給電溝２５の内側には、移動方向ｘに沿って延びる供給電極２１ａ、２１ｂが設けられている。吊り輪７７０を移動方向ｘに移動させた際には、電極７１ａ、７１ｂの接点部７Ｃａ、７Ｃｂが供給電極２１ａ、２１ｂの表面を摺動しながら移動する。
【００４４】
第３の実施形態においても、第１の実施形態と同様に複数の吊り具７それぞれへ個別に配線を行わずにレール本体２の内部に設けた一つの供給電極２１を介して電力の供給を行うことにより見栄え良く、安定したＬＥＤ９０への電力供給を行うことが可能となる。
【符号の説明】
【００４５】
１０  レール付き支持台
２  レール本体
２１ａ  供給電極（高電位側）
２１０ａ  陽極架線
２１ｂ  供給電極（低電位側）
２３  ヘッドレール
２８  ウォーム
２９  筐体
７、７ｃ  吊り具
７５、７５１、７５２  コネクタ
７Ｃａ、７Ｃｂ  接点部
７１ａ、７１ｂ  電極
７８  ウォームホイール
７４０ａ、７４０ｂ  車輪
７６０  車輪
７７０  吊り輪
９  ブラインド
９１  ルーバ
９０  ＬＥＤ
９５、９５１  コネクタ
９５ａ、９５ｂ  端子
９ｃ  カーテン
ａ１、ａ２、ａ３  絶縁シート
ａ４  絶縁部材
【図１】
2011220011.tif 000003
【図２】
2011220011.tif 000004
【図３】
2011220011.tif 000005
【図４】
2011220011.tif 000006
【図５】
2011220011.tif 000007
【図６】
2011220011.tif 000008
【図７】
2011220011.tif 000009
【図８】
2011220011.tif 000010
【図９】
2011220011.tif 000011
【図１０】
2011220011.tif 000012
【図１１】
2011220011.tif 000013